(57)【特許請求の範囲】
【請求項１】
貯蔵タンクの屋根部を貫通して該貯蔵タンク内で上下方向に延びるガイドパイプを設け、該ガイドパイプの上端側に取り付けたバランス駆動機より巻き出す測長ワイヤの先端部に取り付けたディスプレーサを、上記ガイドパイプの内側で、上記測長ワイヤに作用する張力を基に貯蔵液体の液面に一定の吃水で配置させるときの上記バランス駆動機からの測長ワイヤの巻き出している長さ寸法に基づいて、上記貯蔵タンク内の貯蔵液体の液位を計測するようにしてあるディスプレーサ式液面計における上記ガイドパイプの下端側に、バスケット収納部を設けて、回収用バスケットを収納し、更に、上記ガイドパイプの上端側に上記バランス駆動機に替えて取り付けるための仮設ウインチと、該仮設ウインチより繰り出すワイヤの先端部に取り付けて、上記回収用バスケットの保持と離脱とを行うことができるようにしたバスケット保持装置とを備えてなる構成を有することを特徴とするディスプレーサ式液面計のディスプレーサ回収装置。
【請求項２】
バスケット収納部の径を、ガイドパイプの上端部における貯蔵タンクの屋根貫通部の径と同等か、もしくは、該屋根貫通部の径よりも小径となるようにした請求項１記載のディスプレーサ式液面計のディスプレーサ回収装置。
【請求項３】
ディスプレーサ式液面計のガイドパイプを、該ガイドパイプの上端部における貯蔵タンクの屋根貫通部の径が、該ガイドパイプの貯蔵タンク内に位置する部分の径よりも小径となる構成とし、且つ該ガイドパイプの下端側に、バスケット収納部を、レデューサを介在させて設けるようにした請求項２記載のディスプレーサ式液面計のディスプレーサ回収装置。
【請求項４】
ディスプレーサ式液面計を、ガイドパイプの上端側にゲート弁と、メンテナンス用マンホール付きのキャリブレーションチャンバとを設けて、該キャリブレーションチャンバの上端側のフランジに、バランス駆動機を取り付けてなる構成とし、且つ上記仮設ウインチを、上記キャリブレーションチャンバの上端側のフランジに取り付けることができる構成とした請求項１、２又は３記載のディスプレーサ式液面計のディスプレーサ回収装置。
【発明の詳細な説明】
【技術分野】
【０００１】
本発明は、貯蔵タンク内に貯蔵されている液体の液位を計測するために用いるディスプレーサ式液面計にて、ディスプレーサに接続してあるワイヤが切れた場合に、該ワイヤの切れたディスプレーサを回収するために用いるディスプレーサ式液面計のディスプレーサ回収装置に関するものである。
【背景技術】
【０００２】
ＬＮＧ（液化天然ガス）やＬＰＧ（液化石油ガス）、その他の液化ガスの貯蔵タンクや、各種液体の貯蔵タンクにおける液位（液面の位置）を計測するための液面計の１種として、ディスプレーサ式液面計が知られている。
【０００３】
図３は上記ディスプレーサ式液面計Ｉの一例の概略を示すもので、貯蔵タンク１内に、屋根部１ａから床部１ｂまでガイドケーブル（ガイドワイヤ）２を張設すると共に、該ガイドケーブル２に、貯蔵液体４の表面に浮かぶフロート（ディスプレーサ）３が上下方向移動可能に取り付けてある。更に、上記貯蔵タンク１の屋根部１ａにノズル５を設け、駆動部６より繰り出した測長ワイヤ７を、上記ノズル５を経て上記貯蔵タンク１内へ導くと共に、該測長ワイヤ７の下端部に、上記フロート３を吊り下げるように取り付けてなる構成としてある。これにより、上記貯蔵タンク１内の貯蔵液体４の液面に浮かぶ上記フロート３の垂直方向の変位を、該フロート３に接続してある上記測長ワイヤ７の駆動部６からの繰り出し長さに基づいて検出することで、上記貯蔵タンク１内の貯蔵液体４の液位を計測できるようにしてある。なお、上記ガイドケーブル２の下端は、貯蔵タンク１の床部１ｂに配設されたウエイト８にアンカー９を介して固定してある（たとえば、特許文献１参照）。
【０００４】
又、ディスプレーサ式液面計の別の形式のものとしては、図４にその概略を示す如く、貯蔵タンク１の屋根部１ａの上側にバランス駆動機１０を設け、該バランス駆動機１０の図示しないワイヤドラムより巻き出して上記貯蔵タンク１内へ吊り下ろした測長ワイヤ１１の下端部（先端部）に、貯蔵タンク１内の貯蔵液体４よりも比重が大きいディスプレーサ１２を取り付けてなる構成を有した形式のものも知られている。
【０００５】
この形式のディスプレーサ式液面計Ｉの場合は、上記測長ワイヤ１１に吊り下げられたディスプレーサ１２が、上記貯蔵タンク１内の貯蔵液体４中に部分的に浸ると、該ディスプレーサ１２に対して上記貯蔵液体４に浸っている部分の体積に応じた浮力が作用するようになるため、上記バランス駆動機１０よりディスプレーサ１２を吊り下げている測長ワイヤ１１に作用する張力が、ディスプレーサ１２が空中に吊り下げられている状態とは変化するようになる。したがって、上記ディスプレーサ１２の吃水が一定となるように上記測長ワイヤ１１に作用する張力を保持した状態で、上記バランス駆動機１０により測長ワイヤ１１の巻き出し、巻き取りを行うことにより、上記ディスプレーサ１２を貯蔵液体４の液面に正確に追従させて昇降させることができることから、このようにしてディスプレーサ１２を貯蔵液体４の液面に追従させて昇降させる際に上記バランス駆動機１０より巻き出している測長ワイヤ１１の長さ寸法を基に、上記貯蔵タンク１内の貯蔵液体４の液位を計測できるようにしてある。
【０００６】
更に、上記図４のディスプレーサ式液面計Ｉでは、上記貯蔵タンク１内への貯蔵液体４の受け入れ等に伴って該貯蔵タンク１内の貯蔵液体４が波立つときにも、上記ディスプレーサ１２に対する影響を回避して貯蔵液体４の液位の計測を行うことができるようにするために、上記貯蔵タンク１の屋根部１ａを貫通して該貯蔵タンク１の底部近傍まで上下方向に延び、且つ上下方向所要間隔個所に導孔１４を備えたガイドパイプ１３を設けて、該ガイドパイプ１３の内側に、上記ディスプレーサ１２を配置するようにしてある。
【０００７】
上記ガイドパイプ１３の上端部には、メンテナンス用マンホール１６を備えてなるキャリブレーションチャンバ１５を、フルボアのゲート弁１７を介して取り付け、該キャリブレーションチャンバ１５の上端部のフランジ１５ａに、上記バランス駆動機１０を取り付けて、該バランス駆動機１０より巻き出す測長ワイヤ１１は、上記キャリブレーションチャンバ１５とゲート弁１７とを通して上記ガイドパイプ１３の内側に配したディスプレーサ１２に接続してある（たとえば、特許文献２参照）。
【０００８】
ところで、上記のようなディスプレーサ式液面計Ｉでは、測長ワイヤ７，１１が、不測の事態によって切れると、上記フロート３やディスプレーサ１２の変位を検出できなくなるため、貯蔵液体４の液位が計測不能になってしまう。
【０００９】
そのために、上記図３に示したガイドケーブル２を備えた形式のディスプレーサ式液面計Ｉでは、図５に示す如く、フロート３の下方に、貯蔵液体４よりも比重が大きい円盤状の回収具１８を配置して、該回収具１８を上記ガイドケーブル２に上下方向へ移動可能に取付け、更に、上記回収具１８に、貯蔵タンク１の屋根部１ａ（図３参照）に駆動部６と一緒に設けた回収用ウインチ１９より上記フロート３の外側を通して吊り下ろした回収用ワイヤ２０を、上記回収具１８に接続して回収装置を構成することが考えられている。なお、図５では貯蔵タンクの記載は省略してある。又、図５における符号１５，１６，１７は、図４に示したものと同様のキャリブレーションチャンバ、メンテナンス用マンホール、ゲート弁をそれぞれ示している。
【００１０】
かかる構成としてある回収装置によれば、上記回収具１８を予め貯蔵タンク１の底部に沈めておき、上記フロート３に接続してある測長ワイヤ７が切れた場合には、上記回収用ウインチ１９により回収用ワイヤ２０を巻き取って、上記回収具１８を上記フロート３の下側からガイドケーブル２に沿って引き上げることで、該回収具１８の上側に上記フロート３を載せて貯蔵タンク１の屋根部１ａまで持ち上げて回収できるようになる。
【００１１】
なお、ＬＰＧの貯蔵タンクは、開放点検義務があるため、所要期間ごとにタンク内のＬＰＧをすべて空にする作業が行われている。これに対し、ＬＮＧの貯蔵タンクは開放点検義務がなく、又、ＬＮＧが腐食性を有していないため、通常、ＬＮＧの貯蔵タンクは、一旦運用が開始されると、長期に亘りＬＮＧが貯蔵されたままとなる。
【００１２】
【特許文献１】実開平５−１７５２２号公報
【特許文献２】実開平７−２０５３１号公報
【発明の開示】
【発明が解決しようとする課題】
【００１３】
ところが、上記図４に示した如きガイドパイプ１３を備えた形式のディスプレーサ式液面計Ｉでは、測長ワイヤ１１が不測の事態により切れると、ディスプレーサ１２がガイドパイプ１３の底部まで沈下するようになるが、このガイドパイプ１３の底部まで沈下したディスプレーサ１２を回収するための手段は特に提案されていないというのが実状である。
【００１４】
なお、上記図４に示した如きガイドパイプ１３を備えた形式のディスプレーサ式液面計Ｉが、ＬＰＧの貯蔵タンク１のように定期的に開放点検を行うようにしてある貯蔵タンクに設けられている場合は、測長ワイヤ１１が不測の事態により切れたとしても、次の開放点検時に上記ガイドパイプ１３の底部より上記測長ワイヤ１１の切れたディスプレーサ１２を回収することが可能である。よって、次の開放点検までの期間が長いときには、上記測長ワイヤ１１が切れることによって沈下したディスプレーサ１２は、次回の開放点検までガイドパイプ１３の底部に放置しておき、上記切れた測長ワイヤ１１をそのまま又は交換した後に新たなディスプレーサ１２に接続することで、ディスプレーサ式液面計Ｉの機能を回復させて運用を継続させるようにすることが可能である。
【００１５】
しかし、上記図４に示した如きガイドパイプ１３を備えた形式のディスプレーサ式液面計Ｉを、ＬＮＧの貯蔵タンクに設ける場合には、定期的な開放点検を行わないため、万一、不測の事態によって測長ワイヤ１１が切れると、ガイドパイプ１３の底部まで沈下するディスプレーサ１２を回収する機会がないことになってしまう。更に、ガイドパイプ１３の底部に沈下した上記ディスプレーサ１２が長期に亘り放置されると、上記ディスプレーサ１２側に残った上記測長ワイヤ１１の切れ端が、上記ＬＮＧの貯蔵タンクよりＬＮＧの払い出しを行うためのポンプへ次第に吸引されて、該払い出しポンプに不具合が生じるようになる虞も懸念される。
【００１６】
よって、図４に示した如きガイドパイプ１３を備えた形式のディスプレーサ式液面計Ｉについても、測長ワイヤ１１が切れた場合に、ディスプレーサ１２を回収するための手段を設けることが望まれるようになってきている。
【００１７】
なお、上記図５に示したディスプレーサ式液面計Ｉのフロート３を回収するための装置は、フロート（ディスプレーサ）３と回収具１８の上下方向の移動をガイドさせるためのガイドケーブル２が必要であると共に、回収具１８に接続してある回収用ワイヤ２０を巻き取るための回収用ウインチ１９を常設する必要があり、よって、ディスプレーサ式液面計Ｉの構成の複雑化、大型化を招くことから、上記図４に示した如きガイドパイプ１３を備えた形式のディスプレーサ式液面計Ｉにおけるディスプレーサの回収装置として採用するには好ましくない。
【００１８】
そこで、本発明は、ガイドパイプを備えた形式のディスプレーサ式液面計におけるディスプレーサに接続してある測長ワイヤが切れた場合に、ガイドパイプの底部まで沈下するディスプレーサを回収することができ、しかも、ディスプレーサ式液面計の大型化を招くことのないディスプレーサ式液面計のディスプレーサ回収装置を提供しようとするものである。
【課題を解決するための手段】
【００１９】
本発明は、上記課題を解決するために、請求項１に対応して、貯蔵タンクの屋根部を貫通して該貯蔵タンク内で上下方向に延びるガイドパイプを設け、該ガイドパイプの上端側に取り付けたバランス駆動機より巻き出す測長ワイヤの先端部に取り付けたディスプレーサを、上記ガイドパイプの内側で、上記測長ワイヤに作用する張力を基に貯蔵液体の液面に一定の吃水で配置させるときの上記バランス駆動機からの測長ワイヤの巻き出している長さ寸法に基づいて、上記貯蔵タンク内の貯蔵液体の液位を計測するようにしてあるディスプレーサ式液面計における上記ガイドパイプの下端側に、バスケット収納部を設けて、回収用バスケットを収納し、更に、上記ガイドパイプの上端側に上記バランス駆動機に替えて取り付けるための仮設ウインチと、該仮設ウインチより繰り出すワイヤの先端部に取り付けて、上記回収用バスケットの保持と離脱とを行うことができるようにしたバスケット保持装置とを備えてなる構成とする。
【００２０】
又、上記構成におけるバスケット収納部の径を、ガイドパイプの上端部における貯蔵タンクの屋根貫通部の径と同等か、もしくは、該屋根貫通部の径よりも小径となるようにした構成とする。
【００２１】
更に、上記構成におけるディスプレーサ式液面計のガイドパイプを、該ガイドパイプの上端部における貯蔵タンクの屋根貫通部の径が、該ガイドパイプの貯蔵タンク内に位置する部分の径よりも小径となる構成とし、且つ該ガイドパイプの下端側に、バスケット収納部を、レデューサを介在させて設けるようにした構成とする。
【００２２】
上述の各構成におけるディスプレーサ式液面計を、ガイドパイプの上端側にゲート弁と、メンテナンス用マンホール付きのキャリブレーションチャンバとを設けて、該キャリブレーションチャンバの上端側のフランジに、バランス駆動機を取り付けてなる構成とし、且つ上記仮設ウインチを、上記キャリブレーションチャンバの上端側のフランジに取り付けることができる構成とする。
【発明の効果】
【００２３】
本発明のディスプレーサ式液面計のディスプレーサ回収装置によれば、以下のような優れた効果を発揮する。 
（１）貯蔵タンクの屋根部を貫通して該貯蔵タンク内で上下方向に延びるガイドパイプを設け、該ガイドパイプの上端側に取り付けたバランス駆動機より巻き出す測長ワイヤの先端部に取り付けたディスプレーサを、上記ガイドパイプの内側で、上記測長ワイヤに作用する張力を基に貯蔵液体の液面に一定の吃水で配置させるときの上記バランス駆動機からの測長ワイヤの巻き出している長さ寸法に基づいて、上記貯蔵タンク内の貯蔵液体の液位を計測するようにしてあるディスプレーサ式液面計における上記ガイドパイプの下端側に、バスケット収納部を設けて、回収用バスケットを収納し、更に、上記ガイドパイプの上端側に上記バランス駆動機に替えて取り付けるための仮設ウインチと、該仮設ウインチより繰り出すワイヤの先端部に取り付けて、上記回収用バスケットの保持と離脱とを行うことができるようにしたバスケット保持装置とを備えてなる構成を有する構成としてあるので、不測の事態により測長ワイヤが切れた場合には、沈下するディスプレーサを、ガイドパイプの底部に設けたバスケット収納部に収納配置してある回収用バスケットに受けることができる。したがって、上記ガイドパイプの上端側に、バランス駆動機に替えて仮設ウインチを取り付けた後、該仮設ウインチによりワイヤを繰り出してバスケット保持装置を上記回収用バスケットの位置まで吊り下ろして、該回収用バスケットを保持させ、しかる後、仮設ウインチによりワイヤを巻き取ることで、上記回収用バスケットをガイドパイプの上端部まで吊り上げて、該回収用バスケットに受けられている上記測長ワイヤが切れたディスプレーサを回収することができる。 
（２）上記測長ワイヤが切れたディスプレーサの回収は、貯蔵タンク内の貯蔵液体を空にすることなく、貯蔵液体が貯蔵されたままの状態で実施することができる。 
（３）上記ディスプレーサ式液面計の通常運用時は、ガイドパイプの下端側に設けたバスケット収納部に回収用バスケットを収納させた状態としておくのみでよいため、ディスプレーサ式液面計の装置構成自体が複雑化したり大型化することはない。しかも、上記仮設ウインチとバスケット保持装置は、上記測長ワイヤが切れる事態が発生するまでは使用しないため、常備する必要がなく、上記構成としてあるディスプレーサ回収装置を採用する貯蔵タンク同士で、上記仮設ウインチ及びバスケット保持装置を使い回すことが可能になる。したがって、上記仮設ウインチ及びバスケット保持装置の数を、上記ディスプレーサ回収装置を採用する貯蔵タンクの基数に比して大幅に削減することが可能になるため、ディスプレーサ式液面計の導入コストに占めるディスプレーサ回収装置のコストの割合を大幅に削減することができる。 
（４）バスケット収納部の径を、ガイドパイプの上端部における貯蔵タンクの屋根貫通部の径と同等か、もしくは、該屋根貫通部の径よりも小径となるようにした構成とすることにより、バスケット収納部に収納する回収用バスケットを、上記ガイドパイプの屋根貫通部を確実に通過させることができて、測長ワイヤが切れたディスプレーサの回収を確実なものとすることができる。 
（５）ディスプレーサ式液面計のガイドパイプを、該ガイドパイプの上端部における貯蔵タンクの屋根貫通部の径が、該ガイドパイプの貯蔵タンク内に位置する部分の径よりも小径となる構成とし、且つ該ガイドパイプの下端側に、バスケット収納部を、レデューサを介在させて設けるようにした構成とすることにより、ガイドパイプ内にて、測長ワイヤが切れたディスプレーサが、たとえ該ガイドパイプの軸心部よりずれた位置を沈下しても、上記レデューサによりガイドすることで、ガイドパイプの下端側に該ガイドパイプの上端部における貯蔵タンクの屋根貫通部の径と同等か、もしくは、該屋根貫通部の径よりも小径となるように設けてあるバスケット収納部の内側の回収用バスケットに、上記沈下するディスプレーサを確実に受けることができる。 
（６）ディスプレーサ式液面計を、ガイドパイプの上端側にゲート弁と、メンテナンス用マンホール付きのキャリブレーションチャンバとを設けて、該キャリブレーションチャンバの上端側のフランジに、バランス駆動機を取り付けてなる構成とし、且つ上記仮設ウインチを、上記キャリブレーションチャンバの上端側のフランジに取り付けることができるようにした構成とすることにより、上記キャリブレーションチャンバの上端側のフランジに対するバランス駆動機と仮設ウインチの着脱の際、及び、上記メンテナンス用マンホールの開閉の際に、上記ゲート弁を閉じることで、キャリブレーションチャンバを、貯蔵タンクの内部雰囲気より切り離すことができるため、タンク内力が大気圧と異なる貯蔵タンクや、可燃性の貯蔵液体、あるいは、環境への漏出を防止すべき貯蔵液体を貯蔵する貯蔵タンクに適用する場合に有利なものとすることができる。
【発明を実施するための最良の形態】
【００２４】
以下、本発明を実施するための最良の形態を図面を参照して説明する。
【００２５】
図１（イ）（ロ）乃至図２は本発明のディスプレーサ式液面計のディスプレーサ回収装置の実施の一形態として、貯蔵液体としてのＬＮＧ４ａの貯蔵タンク１に、図４に示したと同様の構成としてあるガイドパイプ１３を備えた形式のディスプレーサ式液面計Ｉについて適用する場合について示すもので、以下のようにしてある。すなわち、ガイドパイプ１３の下端部にバスケット収納部２１を設けて、該バスケット収納部２１に、ディスプレーサ１２の回収用バスケット２２を収納する。更に、キャリブレーションチャンバ１５の上端部のフランジ１５ａに、バランス駆動機１０に替えて取り付けるための仮設ウインチ２３と、該仮設ウインチ２３より繰り出すワイヤ２４の先端部に取り付けて、上記回収用バスケット２２の保持と離脱を切り替えることができるようにしてあるバスケット保持装置２５とを備えて、ディスプレーサ回収装置を構成する。
【００２６】
詳述すると、上記ガイドパイプ１３は、上端部における貯蔵タンク１の屋根部１ａを貫通する部分（以下、屋根貫通部と云う）１３ａを比較的細径に設定する一方、上記貯蔵タンク１内に位置する部分１３ｂは上記屋根貫通部１３ａよりも太径となるように設定してある。これにより、上記ガイドパイプ１３の屋根貫通部１３ａでは、外部から貯蔵タンク１内への入熱を抑えることができるようにすると共に、該屋根貫通部１３ａの上側に連結するゲート弁１７を、口径の小さなものとすることができるようにしてある。又、上記ガイドパイプ１３における貯蔵タンク１内に位置する部分では、該ガイドパイプ１３の内側にてＬＮＧ４ａの液面に追従して上下方向に移動するディスプレーサ１２が、ガイドパイプ１３と干渉する虞を低減できるようにしてある。
【００２７】
なお、上記ガイドパイプ１３における屋根貫通部１３ａと貯蔵タンク１内に位置する部分１３ｂとの間には、上端側より下端側へ向けて徐々に拡径するテーパ部１３ｃを介在させて設けることで、ガイドパイプ１３の周壁面に、上下方向の段差が形成されないようにしてある。
【００２８】
更に、上記ガイドパイプ１３の下端側には、上記屋根貫通部１３ａと同径か、もしくは、やや小さい径で、且つ回収用バスケット２２の高さ寸法に対応した深さ寸法を有するバスケット収納部２１が、レデューサ２６を介して一体に設けてある。上記バスケット収納部２１は、下端部に、たとえば、十文字形状の底部２１ａを備えて、該バスケット収納部２１の内側に、回収用バスケット２２を、上方より挿入した状態で保持できるようにしてある。
【００２９】
上記回収用バスケット２２は、図２に示すように、上記バスケット収納部２１の内径に応じた外径を有し且つ上下方向に所要の高さ寸法を備えた円筒状の側壁２２ａの下端部に、上記ＬＮＧ４ａを通過させる構造、たとえば、メッシュ状の底２２ｂを取り付けた構成としてある。更に、上記回収用バスケット２２の側壁２２ａの上端部には、周方向の全周に亘り内側へ鋭角に折り返した折り返し部２２ｃを設けて、該折り返し部２２ｃに、上記バスケット保持装置２５の後述するフック２５ａを下方から係合させることができるようにしてある。
【００３０】
上記仮設ウインチ２３は、図１（ロ）に示す如く、下端部に、バランス駆動機１０の下端部のフランジと同様のフランジ２３ａを備えてなる構成としてある。これにより、上記キャリブレーションチャンバ１５の上端部のフランジ１５ａより上記バランス駆動機１０を取り外した後、該フランジ１５ａの上側に、上記仮設ウインチ２３のフランジ２３ａを取り外し可能にボルト止めすることができるようにしてある。なお、上記仮設ウインチ２３は、上記キャリブレーションチャンバ１５の上側に取り付けた状態にて、外気を遮断した状態で上記フランジ２３ａ及び１５ａを通してキャリブレーションチャンバ１５の内側へ向けてワイヤ２４を繰り出すことができるようにしてあるものとする。
【００３１】
上記バスケット保持装置２５は、上記仮設ウインチ２３側からの遠隔操作により、フック２５ａを中心寄りに集めて、該バスケット保持装置２５を、上記回収用バスケット２２の折り返し部２２ｃの内側を通過できるようにした状態と、フック２５ａを外周方向に張り出させて、上記回収用バスケット２２の折り返し部２２ｃの下方へ係止させる状態とを自在に切り替えることができるようにしてある。
【００３２】
具体的には、上記バスケット保持装置２５は、たとえば、図２に示す如く、上下方向に所要寸法延びる円筒部材２５ｂの下端部における周方向等間隔個所（図では１２０度間隔の３個所）に、フック２５ａの基端部となる上端部が、それぞれ半径方向に揺動可能に取り付けてある。更に、上記仮設ウインチ２３より２本のワイヤ２４ａと２４ｂを繰り出すことができるようにしておき、そのうちの一方のワイヤ２４ａが、上記円筒部材２５ｂの上端部に連結してある。更に、上記仮設ウインチ２３より繰り出す他方のワイヤ２４ｂは、上記一方のワイヤ２４ａの下端部に遊嵌させたリング部材２５ｃに連結すると共に、該リング部材２５ｃと、上記各フック２５ａの長手方向中間部とを、フック引上げ用ワイヤ２５ｄを介してそれぞれ連結した構成としてある。これにより、上記仮設ウインチ２３より繰り出す２本のワイヤ２４ａと２４ｂのうち、上記一方のワイヤ２４ａにのみテンションをかけた状態で、上記他方のワイヤ２４ｂを緩めることで、図２に実線で示す如く、上記バスケット保持装置２５の各フック２５ａを自重により円筒部材２５ｂの下方へ引き込んだ状態、すなわち、各フック２５ａを中心寄りに集めて該バスケット保持装置２５全体の外径を、上記回収用バスケット２２の折り返し部２２ｃの内径よりも小さくした状態とすることができるようにしてある。一方、上記一方のワイヤ２４ａを多少緩めた状態で、上記他方のワイヤ２４ｂにテンションをかけることで、図２に二点鎖線で示す如く、上記リング部材２５ｃ及び各フック引上げ用ワイヤ２５ｄを介して、上記各フック２５ａを引き上げて、円筒部材２５ｂの外周側へ上記回収用バスケット２２の折り返し部２２ｃの内径よりも大きな径となる位置まで張り出させることができるようにしてある。
【００３３】
したがって、上記バスケット保持装置２５を、上記一方のワイヤ２４ａにのみテンションをかけた状態で、回収用バスケット２２の内側まで吊り下ろした後、上記仮設ウインチ２３により他方のワイヤ２４ｂを巻き上げて、上記一方のワイヤ２４ａよりも該他方のワイヤ２４ｂにテンションがかかるようにすることで、上記回収用バスケット２２の内側で上記各フック２５ａを外周方向に張り出させることができる。よって、その後、上記他方のワイヤ２４ｂを、テンションをかけた状態で継続して巻き上げることで、上記各フック２５ａの先端部を、回収用バスケット２２の側壁２２ａの上端部に設けてある折り返し部２２ｃに下方より係止させて保持できるようになるため、この各フック２５ａを介して保持した上記回収用バスケット２２を、上記バスケット収納部２１より吊り上げることができるようにしてある。
【００３４】
更に又、上記のようにして他方のワイヤ２４ｂにのみテンションをかけることで上記各フック２５ａを介してバスケット保持装置２５に保持した状態の回収用バスケット２２を、上記他方のワイヤ２４ｂの繰り出しによって所要個所に載置させた後、上記一方のワイヤ２４ａを巻き上げて、該一方のワイヤ２４ａにのみテンションがかかるようにすると、上記バスケット保持装置２５の各フック２５ａが、中心寄りに集められるようになることで、上記バスケット保持装置２５の上記回収用バスケット２２からの離脱を行うことができるようにしてある。
【００３５】
２７は上記キャリブレーションチャンバ１５へのパージガス供給ライン、２８はキャリブレーションチャンバ１５のガス排出ラインであり、上記キャリブレーションチャンバ１５のメンテナンス用マンホール１６を開けたり、該キャリブレーションチャンバ１５の上端部のフランジ１５ａよりバランス駆動機１０又は仮設ウインチ２３の取り外しを行うときには、ゲート弁１７を閉操作して、キャリブレーションチャンバ１５を貯蔵タンク１内部雰囲気より切り離した後、該キャリブレーションチャンバ１５内に充満しているＬＮＧ４ａの気化ガスを、上記パージガス供給ライン２７より供給する窒素ガス等のパージガス２９によってガス排出ライン２８へパージさせることができるようにしてある。
【００３６】
なお、上記貯蔵タンク１の貯蔵液体が−１６２℃の極低温を有するＬＮＧ４ａであることに鑑みて、上記バスケット収納部２１、回収用バスケット２２、ワイヤ２４（２４ａ，２４ｂ）、バスケット保持装置２５等、上記ＬＮＧ４ａに接する部材は、すべてステンレス製としてあるものとする。その他、図４に示したものと同一のものには同一符号が付してある。
【００３７】
以上の構成としてあるディスプレーサ式液面計のディスプレーサ回収装置を使用する場合は、予め、図１（イ）に示す如く、ガイドパイプ１３の下端側のバスケット収納部２１に、回収用バスケット２２を収納させた状態としておく。又、キャリブレーションチャンバ１５の上側にはバランス駆動機１０を取り付けた状態とし、この状態にて、図４に示したディスプレーサ式液面計Ｉと同様に、上記ガイドパイプ１３の内側で、ＬＮＧ４ａの液面に一定の吃水で配置させるディスプレーサ１２に接続してある測長ワイヤ１１のバランス駆動機１０からの巻出し量に基づいて、上記貯蔵タンク１内のＬＮＧ４ａの液位を計測するようにする。
【００３８】
上記のようにしてディスプレーサ式液面計Ｉを運用している際に、不測の事態によって上記測長ワイヤ１１が切れると、上記ディスプレーサ１２は、上記ガイドパイプ１３内で沈下して、該ガイドパイプ１３の下端側のバスケット収納部２１に収納してある上記回収用バスケット２２の内側に収容されるようになる。この際、上記ガイドパイプ１３の下端部と、バスケット収納部２１との間には、レデューサ２６が設けてあるため、上記ディスプレーサ１２が、たとえガイドパイプ１３内の軸心部より外れた位置を沈下した場合であっても、該沈下するディスプレーサ１２は、上記レデューサ２６によりガイドされることで、確実にバスケット収納部２１の内側の回収用バスケット２２まで導かれるようになる。
【００３９】
一方、上記のようにして測長ワイヤ１１が切れると、上記バランス駆動機１０より巻出している測長ワイヤ１１に、ディスプレーサ１２の重量による張力が作用しなくなるため、この張力の低下に基づいて、上記測長ワイヤ１１の切断は容易に検知される。
【００４０】
このようにして測長ワイヤ１１の切断が検知された場合は、先ず、上記バランス駆動機１０より巻出している測長ワイヤ１１を、すべてバランス駆動機１０側へ巻き上げる。
【００４１】
次に、ゲート弁１７を閉操作した後、上記キャリブレーションチャンバ１５内に充満しているＬＮＧ４ａの気化ガスをパージしてから、該キャリブレーションチャンバ１５の上端部のフランジ１５ａより上記バランス駆動機１０を取り外す。
【００４２】
次いで、上記キャリブレーションチャンバ１５の上端部のフランジ１５ａに、ワイヤ２４（２４ａ，２４ｂ）にバスケット保持装置２５を取付けた状態としてある仮設ウインチ２３を取り付け、上記ゲート弁１７を開操作した後、上記仮設ウインチ２３よりワイヤ２４（２４ａ，２４ｂ）を巻き出して、上記バスケット保持装置２５を、上記ガイドパイプ１３の下端部の回収用バスケット２２の内側まで下降させる。
【００４３】
その後、図２に二点鎖線で示したように、上記バスケット保持装置２５の各フック２５ａを、上記回収用バスケット２２の折り返し部２２ｃに係止させた状態としてから、上記仮設ウインチ２３により上記ワイヤ２４（２４ａ，２４ｂ）を巻き上げることで、上記回収用バスケット２２を、上記測長ワイヤ１１が切れたディスプレーサ１２を収容した状態で吊り上げる。
【００４４】
上記吊り上げる回収用バスケット２２が、上記キャリブレーションチャンバ１５の内側に達したら、上記仮設ウインチ２３を停止させ、ゲート弁１７を閉操作した後、キャリブレーションチャンバ１５内のＬＮＧ４ａの気化ガスをパージしてから、メンテナンス用マンホール１６を開けて、上記吊り上げられた回収用バスケット２２に収容されている上記測長ワイヤ１１の切れたディスプレーサ１２を回収する。
【００４５】
上記ディスプレーサ１２の回収が終了した後は、上記メンテナンス用マンホール１６を閉じ、上記ゲート弁１７を開操作した後、上記仮設ウインチ２３よりワイヤ２４（２４ａ，２４ｂ）を巻き出して、上記バスケット保持装置２５に保持してある回収用バスケット２２を、バスケット収納部２１まで吊り下ろす。
【００４６】
上記のようにしてバスケット収納部２１に回収用バスケット２２を再び収納させた後は、上記バスケット保持装置２５を上記回収用バスケットより離脱させ、次いで、上記仮設ウインチ２３によるワイヤ２４（２４ａ，２４ｂ）を巻き上げることにより、該バスケット保持装置２５を、上記キャリブレーションチャンバ１５の内側まで上昇させる。
【００４７】
しかる後、ゲート弁１７を閉操作してから、該キャリブレーションチャンバ１５内のＬＮＧ４ａの気化ガスをパージし、その後、キャリブレーションチャンバ１５の上端側のフランジ１５ａに取り付けてある仮設ウインチ２３を、測長ワイヤ１１の先端側にディスプレーサ１２を接続してなるバランス駆動機１０に付け替えることで、機能を回復したディスプレーサ式液面計Ｉを形成させるようにする。
【００４８】
このように、本発明のディスプレーサ式液面計のディスプレーサ回収装置によれば、ディスプレーサ１２の外周にガイドパイプ１３を備えてなる形式のディスプレーサ式液面計Ｉにて、不測の事態により測長ワイヤ１１が切れた場合に、沈下するディスプレーサ１２を、貯蔵タンク１内のＬＮＧ４ａを空にすることなく、ＬＮＧ４ａが貯蔵されたままの状態で回収することができる。しかも、上記ディスプレーサ式液面計Ｉの通常運用時は、ガイドパイプ１３の下端側に設けたバスケット収納部２１に回収用バスケット２２を収納させた配置しておくのみでよいため、ディスプレーサ式液面計Ｉの装置構成が複雑化したり大型化することはない。
【００４９】
更に、上記仮設ウインチ２３とバスケット保持装置２５は、上記測長ワイヤ１１が切れる事態が発生するまでは使用しないため、常備しておく必要はないため、上記構成としてあるディスプレーサ回収装置を採用した貯蔵タンク１であれば、仮設ウインチ２３及びバスケット保持装置２５は使い回すことが可能になる。したがって、上記仮設ウインチ２３及びバスケット保持装置２５の数は、上記ディスプレーサ回収装置を採用した貯蔵タンク１の基数に比して大幅に削減することが可能になるため、ディスプレーサ式液面計の導入コストに占めるディスプレーサ回収装置の示す割合を大幅に削減する効果が期待できる。
【００５０】
なお、本発明は、上記実施の形態にのみ限定されるものではなく、ディスプレーサ１２、ガイドパイプ１３、バスケット収納部２１、回収用バスケット２２のサイズは、図示するための便宜的なサイズであり、実際の貯蔵タンク１のサイズや貯蔵する液体の性状に応じて適宜変更してもよい。又、上記各部材の材質は、貯蔵する液体の性状に応じて、ステンレス以外の材質を採用してもよい。
【００５１】
本発明のディスプレーサ回収装置は、ガイドパイプ１３を備えてなる形式のディスプレーサ式液面計をＬＮＧ４ａの貯蔵タンク１に設置する場合におけるディスプレーサ回収装置として用いるのに好適であるが、その他、いかなる液体を貯蔵する貯蔵タンク１に設置するディスプレーサ式液面計Ｉに適用してもよい。
【００５２】
バスケット保持装置２５は、遠隔操作によって回収用バスケット２２の保持と離脱を切り替えることができるようにしてあれば、拡径、縮径方向に作動するフック２５ａ以外のいかなるバスケット保持手段を採用してもよい。これと関連して、回収用バスケット２２は、上記バスケット保持手段により保持と離脱とを行うことができるようにしてあれば、折り返し部２２ｃを備えた形式以外の形式のものとしてもよい。
【００５３】
回収用バスケット２２は、バスケット保持装置２５に保持した状態で吊り上げたり、吊り下ろすときに、大きな抵抗を生じないようにＬＮＧ４ａのような貯蔵液体を通すことができ、且つ測長ワイヤ１１が切れたときに該回収用バスケット２２内へ沈下するディスプレーサ１２側に付着している上記測長ワイヤ１１の切れ端が容易に通過しない構造としてあれば、底２２ｂをパンチングメタル等のメッシュ以外の構造のものを採用してよく、更には、側壁２２ａを上記底２２ｂと同様の構造のものとするようにしてもよい。
【００５４】
その他本発明の要旨を逸脱しない範囲内で種々変更を加え得ることは勿論である。
【図面の簡単な説明】
【００５５】
【図１】本発明のディスプレーサ式液面計のディスプレーサ回収装置の実施の一形態を示すもので、（イ）はディスプレーサ液面計の通常運用状態を、（ロ）はディスプレーサの回収を行う状態をそれぞれ示した一部切断側面図である。
【図２】図１の装置における回収用バスケットとバスケット保持装置を拡大して示す切断側面図である。
【図３】従来用いられているディスプレーサ式液面計の一例の概略を示す側面図である。
【図４】従来用いられているガイドパイプを備えた形式のディスプレーサ式液面計を示す一部切断概略側面図である。
【図５】図３のディスプレーサ式液面計のディスプレーサを回収するために考えられている装置を示す概要図である。
【符号の説明】
【００５６】
１  貯蔵タンク
１ａ  屋根部
４  貯蔵液体
４ａ  ＬＮＧ（貯蔵液体）
１０  バランス駆動機
１１  測長ワイヤ
１２  ディスプレーサ
１３  ガイドパイプ
１３ａ  屋根貫通部
１３ｂ  貯蔵タンク内に位置する部分
１５ａ  フランジ
１６  メンテナンス用マンホール
１７  ゲート弁
２１  バスケット収納部
２２  回収用バスケット
２３  仮設ウインチ
２４，２４ａ，２４ｂ  ワイヤ
２５  バスケット保持装置
２６  レデューサ
【図１】
0004930227.tif 000002
【図２】
0004930227.tif 000003
【図３】
0004930227.tif 000004
【図４】
0004930227.tif 000005
【図５】
0004930227.tif 000006